(57)【要約】      （修正有）【課題】簡易な構成にて車両の衝突時の衝撃の緩和又は軽減を可能する構造の車両ボディを提供する。【解決手段】空気、ガス又はその他の流体を保持するゴム引布などの柔軟な材料から成る袋状構造体１６を外表面に有し、衝突時に袋状構造体の一部が容積変化して袋状構造体の固定された部位が離脱することを特徴とする。車両が前方から物体に衝突して、袋状構造体の前方が圧縮されると、袋状構造体の後方部分の固定部位が離脱し、袋状構造体の後方部分が前方上方にせり上がる。【選択図】図２
2012101657.tif 000002
【特許請求の範囲】
【請求項１】
流体を保持する袋を外表面に有する車両であって、衝突時に前記袋の一部が容積変化して前記袋の前記車両の一部上に固定された部位が離脱することを特徴とする車両。
【発明の詳細な説明】
【技術分野】
【０００１】
本発明は、自動車等の車両に係り、より詳細には、ボディの外表面に空気又はその他の流体を保持する袋を有する車両に係る。
【背景技術】
【０００２】
自動車等の車両のボディの外表面は、一般的には、鉄、プラスチック、カーボン等の硬い材料で構成されるところ、万が一、車両が某かの物体に衝突した際には、その衝撃で衝突された物体が損傷してしまう可能性がある。特に、近年、各方面より提案されている小型の軽車両（例えば、一人乗りの小型コミュータなど）の場合、その用途から歩道等が多い街中、小さな路地に進入することが多くなると予想され、通行人やその他の物体に近接する機会も多くなる。そこで、車両の衝突時の衝突された物体の損傷の回避或いは軽減を図るために、特許文献１に例示されている如く、車両のフロントバンパー又はその上部からエアバッグが展開される構成が提案されている。また、自動車等の車両のボディの外表面に於いて、空気、ガス又はその他の流体を保持する袋が装備された構成が従来よりいくつか提案されている。例えば、特許文献２には、陸上走行機能と水面上走行機能とを具備する水陸両用車のボディの前部及び両側部に於いて、気胴（浮き袋）が着脱自在に装備され、水面上走行する際に車両の浮力を与える構成が開示されている（しかしながら、同公報の気胴は、車両の衝突時の衝撃を軽減するための構造となっていない。）。
【先行技術文献】
【特許文献】
【０００３】
【特許文献１】特開２００９−２２０６４５
【特許文献２】特公平６−３９２０１
【発明の概要】
【発明が解決しようとする課題】
【０００４】
特許文献１に見られる如き、車両の衝突の際に車両のフロントバンパー又はその上部からエアバッグが展開される構成は、フロントバンパー近傍にエアバッグを収納するための構造、衝突の可能性を察知するためのセンサ、エアバッグを膨張させるためのインフレータ等の設備を必要とし、やや複雑と成り得る。かかるエアバッグを装備することは、特に、小型の軽車両の場合、車両ボディの軽量化、簡単化、低コスト化の観点に於いて有利ではない。
【０００５】
かくして、本発明の主な課題は、従前よりも、より簡易な構成にて車両の衝突時の衝撃の緩和又は軽減を可能にする構造を有する車両ボディを提供することである。
【課題を解決するための手段】
【０００６】
本発明によれば、上記の課題は、流体を保持する袋を外表面に有する車両であって、衝突時に袋の一部の容積が変化して袋に於ける車両の一部上に固定された部位が離脱することを特徴とする車両によって達成される。上記の構成に於いて、「流体を保持する袋」は、ゴムボートや救命胴衣に見られる如き、布をゴムでサンドイッチしたゴム引布等の柔軟なシート状部材を袋状にして空気、ガスその他の流体を封入した構造体であって、車両の外表面を成すように車両の一部に適宜固定されたものであってよい。特に、本発明の実施の形態に於いては、「流体を保持する袋」自体が、車両のボディとして形成され、車両のフレーム又はフェンダーライナ等に固定されるようになっていてよい。
【０００７】
この本発明の構成によれば、車両が某かの物体に接触し、その外表面にある「流体を保持する袋」が圧迫されると、その圧迫された部分の流体が別の空間に押し出されて変形し（袋内での容積の配分の変化が生じ）、これにより、袋に於ける車両の一部上に固定された部位が離脱することとなる。特に、「流体を保持する袋」が車両のフロント部分（ノーズ部）から車両の前輪のフェンダー部にかけて装着され或いはフロント部分（ノーズ部）から前輪のフェンダー部までを構成している場合、車両がフロント部分から衝突したときには、ノーズ部内の空気がフェンダー部内へ移動することにより、フェンダー部が変形し、そこに於ける袋の固定された部位がその固定位置から離脱し、フェンダー部に在った袋が車両の前方（ノーズ部の上方）へせり上がるよう変位することとなる。この一連の過程によれば、袋の変形によって衝突時の車両及び衝突された物体への衝撃がそれぞれ緩和されるとともに、万が一、車両の乗員が車両前方へ投げ出された場合でも、ノーズ部の上方へせり上がった袋の部分が緩衝材として機能し、乗員に対する衝撃の軽減が期待されることとなる。なお、車両の一部上に対する「流体を保持する袋」の固定は、離脱容易なクリップ等の固定具で為されてよい。
【発明の効果】
【０００８】
かくして、上記の本発明によれば、従前に比して簡易な構成にて、衝突時の衝撃の緩和又は軽減が提供される。本発明の構成に於いては、衝突時にのみ展開されるエアバッグ装置に必要な衝突を検知するセンサ、インフレータ、エアバッグ収納のための構造は、必要ないので、車両ボディの軽量化、簡単化及び／又は低コスト化が図られることとなる。また、「流体を保持する袋」が車両の外観の少なくとも一部を成すこととなるので、少なくとも部分的に表面が柔らかい車体となり、物体又は人と接触した場合にもその衝撃が吸収され、車両と該車両に接触した物体等における損傷の回避又は軽減が期待される。
【０００９】
本発明のその他の目的及び利点は、以下の本発明の好ましい実施形態の説明により明らかになるであろう。
【図面の簡単な説明】
【００１０】
【図１】図１（Ａ）は、本発明が適用される車両（小型軽車両、小型コミュータ）の模式的な斜視図である。同図に於いて、細線にて描かれたフレーム１４上に装着されるボディ１６、１８は、図を明瞭にする目的で、車両の左半分のみ記載されている。図１（Ｂ）、（Ｃ）及び（Ｄ）は、それぞれ、図１（Ａ）中の（Ｂ）、（Ｃ）及び（Ｄ）に於ける断面の模式図である。
【図２】図２（Ａ）は、図１（Ａ）の車両の前部ボディ１６をその側方から見た模式図であり、図２（Ｂ）は、車両が前方から壁に衝突した際の前部ボディ１６の変形の態様を模式的に表した図である。
【符号の説明】
【００１１】
１０…車両
１２ａ、ｂ…前輪
１２ｃ…後輪
１４…フレーム（車枠）
１５…乗員スペース
１６…前部ボディ
１８…後部ボディ
２０…フェンダーライナ
２２…クリップ
【発明を実施するための最良の形態】
【００１２】
以下に添付の図を参照しつつ、本発明を好ましい実施形態について詳細に説明する。図中、同一の符号は、同一の部位を示す。
【００１３】
本発明の構成は、好適には、図１（Ａ）にて模式的に描かれている如き、小型軽車両１０（小型コミュータとも称される。）に適用されてよい。車両１０は、左右前輪１２ａ、ｂ及び後輪１２ｃが適宜装着されたフレーム１４を有し、フレーム１４上に、その略中央部に乗員スペース１５が設けられるよう形成された前部ボディ１６と後部ボディ１８とが固定される。これらの前部ボディ１６及び後部ボディ１８は、好適には、ゴムボートや救命胴衣に用いられる如き、布をゴムでサンドイッチしたゴム引布を袋状に形成した構造からなり、かかる袋状構造体の内部に空気、ガス又はその他の流体が封入されて図示されている如き形状に形成される。そのうち、前部ボディ１６は、車両のフロント部分を構成し、図２（Ａ）に模式的に描かれている如く、フロント部分の最前部（ノーズ部１６ａ）から後方へ向かって延在し、左右前輪のフェンダー部１６ｂにて二股に分割し、左右前輪のフェンダーライナ２０を上から覆うように固定される（図１（Ｂ）参照）。一方、後方ボディ１８は、前部ボディ１６の後端付近からフレーム１４の両側を底側１８ａから囲繞し（図１（Ｃ）参照）、更に乗員スペース１５よりも後方のフレーム１４の部分と後輪１２ｃとをそれらの上側及び両側から覆うように形成される（図１（Ｄ）参照）。上記の如く、車両のフレームの上に載置され固定されるボディとして、空気、ガス又はその他の流体を封入したゴム引布から成る袋状の構造体を採用することにより、車体の外表面が柔軟となり、車両が物体に接触又は衝突しても、車両と物体との間に於ける衝撃が吸収され、車両と物体の損傷の緩和又は軽減が期待されることとなる。また、上記のボディ構造に於いては、封入された空気、ガス又はその他の流体の圧力によって自然な曲面が形成されることとなり、通常の硬質の材料（鉄、プラスチック等）から成るボディの場合とは異なった外観・デザインが得られる。更に、ボディ内に封入される流体が空気又はその他のガスである場合には、ボディの重量が軽量化される点で有利である。
【００１４】
ところで、上記の如く車両の外表面に空気、ガス又はその他の流体を封入したゴム引布の如き柔軟な袋状構造体が装着される構成に於いて、車両が物体に接触し、袋状構造体が圧迫されると、物体に接触した領域の流体が物体に接触していない領域へ押し出されるよう変形する。本発明では、かかる袋状構造体の変形作用を利用して、車両が物体に接触した際に、車両、物体及び／又は車両の乗員に対する衝撃がより軽減されるように袋状構造体の装着状態が変化すべく、袋状構造体の固定部位が適宜離脱するための構成が設けられる。具体的には、車両のフロント部を形成する前部ボディ１６の後方部分、例えば、フェンダーライナ２０上の部分が、図２（Ａ）に例示されている如く、離脱可能なクリップ２２などの、前部ボディ１６の後方部分が膨張したときには離脱する固定具にて固定されてよい。かかる構成によれば、車両が前方から物体（例えば、壁）に衝突すると、ノーズ部１６ａが圧縮されて内部の流体が前部ボディ１６の後方部分、即ち、フェンダー部１６ｂへ押し出されることとなる（ノーズ部１６ａ、フェンダー部１６ｂの容積変化）。そうすると、図２（Ｂ）に例示されている如く、フェンダーライナ２０に沿った内向きに凸の表面が、フェンダー部１６ｂの膨張によって外向きに凸の形状に変化し、フェンダー部１６ｂをフェンダーライナ２０に固定しているクリップ２２が解離することとなる。そして、更に、ノーズ部１６ａが固定されたままであることから、フェンダー部１６ｂが前方上方へせり上がることとなる。フェンダー部１６ｂが図２（Ｂ）に例示されている如く形状変化すれば、一連の形状変化により衝撃のエネルギーが緩和されるとともに、万が一、乗員が車両前方へ投げ出された場合でも、せり上がったフェンダー部１６ｂが緩衝材として機能し、乗員に対する衝撃を軽減することが期待される。
【００１５】
かくして、上記の本発明によれば、車両の外表面に装着された流体を保持する袋状構造体を、車両の衝突時に袋状構造体の一部が容積変化して袋状構造体の固定された部位が離脱するよう構成することによって、より簡易な構成にて、衝突時の衝撃を緩和又は軽減する構成が提供される。本発明の構成に於いては、例えば、エアバッグを展開するための複雑な構成を要しないので、車両ボディの軽量化、簡単化及び／又は低コスト化が図られることとなる。
【００１６】
以上の説明は、本発明の実施の形態に関連してなされているが、当業者にとつて多くの修正及び変更が容易に可能であり、本発明は、上記に例示された実施形態のみに限定されるものではなく、本発明の概念から逸脱することなく種々の装置に適用されることは明らかであろう。
【００１７】
例えば、車両の衝突時に固定された部位が離脱する袋状構造体は、車両の任意の部位に設けられてよく、また、任意の車両に装備されてよい。
【図１】
2012101657.tif 000003
【図２】
2012101657.tif 000004